(57)【要約】【課題】  長期間に亘って餌料生物の増殖効果や、水産生物の蝟集効果及び増殖効果を或る一定以上に維持することができ、水産業への貢献を果たすこと。【解決手段】  餌料生物増殖基質材１６が籠状体１７に収容されて成る４つの基質材ユニット１３と、４つの基質材ユニット１３が設けられている基台１５とを備え、海底１２に多数沈設される餌料生物増殖礁１１の取替え方法において、沈設されている旧の餌料生物増殖礁１１を船２５で引き上げる引上げ段階と、船２５上に引き上げた旧の餌料生物増殖礁１１に着脱自在に取り付けられている旧の基質材ユニット１３を、新の基質材ユニット１３に取り替える取替え段階と、新の基質材ユニット１３に取り替えられた新の餌料生物増殖礁１１を海底１２等に沈設する沈設段階とを備える。【選択図】      図５
2014140339.tif 000002
【特許請求の範囲】
【請求項１】
餌料生物増殖基質材が籠状体に収容されて成る１又は２以上の基質材ユニットと、前記１又は２以上の基質材ユニットが設けられている基台とを備え、海底、湖底、又は川底に１又は２以上沈設される餌料生物増殖礁の取替え方法において、
沈設されている前記餌料生物増殖礁を船で引き上げる引上げ段階と、
船上に引き上げた前記餌料生物増殖礁に装着されている前記餌料生物増殖基質材を、別の前記餌料生物増殖基質材に取り替える取替え段階と、
別の前記餌料生物増殖基質材に取り替えられた前記餌料生物増殖礁を海底、湖底、又は川底に沈設する沈設段階とを備えることを特徴とする餌料生物増殖礁の取替え方法。
【請求項２】
前記基質材ユニットが着脱自在に取付部を介して前記基台に取り付けられ、
前記取替え段階では、船上に引き上げた前記餌料生物増殖礁の前記取付部を解除して、前記基台に取り付けられている前記基質材ユニットを、別の前記基質材ユニットに取り替え、
前記沈設段階では、別の前記基質材ユニットに取り替えられた前記餌料生物増殖礁を海底、湖底、又は川底に沈設することを特徴とする請求項１記載の餌料生物増殖礁の取替え方法。
【請求項３】
前記餌料生物増殖基質材は、間伐材を含む木材であり、かつ、
前記基台は、コンクリート製の板状体であり、
前記取付部は、雄ねじ部と雌ねじ部とを有する構成であることを特徴とする請求項２記載の餌料生物増殖礁の取替え方法。
【請求項４】
前記間伐材を含む木材の太さが、１０〜２５ｃｍであることを特徴とする請求項３記載の餌料生物増殖礁の取替え方法。
【請求項５】
前記引上げ段階では、取り替えられる別の前記基質材ユニットが船に積み込まれていることを特徴とする請求項２乃至４のいずれかに記載の餌料生物増殖礁の取替え方法。
【請求項６】
餌料生物増殖基質材が籠状体に収容されて成る１又は２以上の基質材ユニットと、前記１又は２以上の基質材ユニットが設けられている基台とを備え、海底、湖底、又は川底に沈設される餌料生物増殖礁において、
前記基台には、海底、湖底、又は川底に沈設されている前記餌料生物増殖礁を引き上げるための吊下げ部が設けられ、
前記餌料生物増殖礁に装着されている前記餌料生物増殖基質材を、別の前記餌料生物増殖基質材に取り替え可能な構成となっていることを特徴とする餌料生物増殖礁。
【請求項７】
前記基質材ユニットが着脱自在に取付部を介して前記基台に取り付けられ、
前記餌料生物増殖礁の前記取付部を解除して、前記基台に取り付けられている前記基質材ユニットを、別の前記基質材ユニットに取替え可能な構成となっていることを特徴とする請求項６記載の餌料生物増殖礁。
【請求項８】
前記餌料生物増殖基質材は、間伐材を含む木材であり、かつ、
前記基台は、コンクリート製の板状体であり、
前記取付部は、雄ねじ部と雌ねじ部とを有する構成であることを特徴とする請求項７記載の餌料生物増殖礁。
【請求項９】
前記間伐材を含む木材の太さが、１０〜２５ｃｍであることを特徴とする請求項８記載の餌料生物増殖礁。
【発明の詳細な説明】
【技術分野】
【０００１】
本発明は、海底、湖底、川底等に沈設されて使用され、魚類等の水産生物の餌となる餌料生物の集積、繁殖及び増殖を促進することができる餌料生物増殖礁、及び餌料生物増殖礁の取替え方法に関する。
【背景技術】
【０００２】
従来の餌料培養籠付き魚礁として、例えば図７に示すものがある（例えば、特許文献１参照。）。この餌料培養籠付き魚礁１は、図７に示すように、略立方体の枠体状に形成されたコンクリート製の魚礁本体２を備え、この魚礁本体２の上側開口を覆うように、２つの餌料培養籠３がこの魚礁本体２の上側開口部に固定して設けられている。そして、この２つの各餌料培養籠３には、蓋体３ａが開閉自在に設けられ、その内部には、コンクリート廃材や砕石等の餌料培養素材４を収容できるように成っている。
【０００３】
この図７に示す餌料培養籠付き魚礁１を、海底に沈設すると、餌料培養籠３に収容されている餌料培養素材４に餌料生物が発生（集積）する。そして、この餌料生物を求めて魚類が、この餌料培養籠付き魚礁１に蝟集する。
【０００４】
そして、この餌料培養籠３は、魚礁本体２の天蓋として機能するので、この餌料培養籠付き魚礁１は、魚類の隠れ家及び住処としての機能も果たすことができる。
【先行技術文献】
【特許文献】
【０００５】
【特許文献１】特開２００２−１０１７８４号公報
【発明の概要】
【発明が解決しようとする課題】
【０００６】
しかし、図７に示す従来の餌料培養籠付き魚礁１では、餌料培養素材４が、年月の経過によって破損及び腐食等して崩壊したり、ゴミが付着する等の種々の原因によって、餌料生物の増殖効果や、魚類の蝟集効果及び増殖効果が低下することがある。このように、餌料生物の増殖効果や、魚類の蝟集効果及び増殖効果が低下した餌料培養籠付き魚礁１を海底に沈設したままにしておくと、その海域には、魚類が蝟集しなくなり、水産資源の保護及び育成を阻害する要因となることがある。
【０００７】
そこで、例えば図８に示す餌料培養籠３内に収容されている餌料培養素材４が、年月の経過によって、餌料生物の増殖効果や、魚類の蝟集効果等が低下したときに、この餌料培養素材４を餌料培養籠３から取り出して、別のものと取り替えることを考えたとしても、この餌料培養籠３は、蓋体３ａを開閉して、内部に収容されている餌料培養素材４を取り替えることを予定して作られたものではないので、年月が経過したときは、餌料培養籠３の蓋体３ａを開閉することができず、餌料培養素材４を取り替えることができなくなっていることが考えられる。
【０００８】
また、内部に餌料培養素材４が収容されている餌料培養籠３ごと別の餌料培養籠３と取り替えることも考えられるが、図８に示す餌料培養籠３の縁部の下面に結合されているインサート部材５は、コンクリート製の魚礁本体２の上面に埋設されていて、餌料培養籠３を魚礁本体２に対して着脱自在に取り外すことができる構成と成ってはいない。これによって、餌料培養籠３を別のものと取り替えることはできない。
【０００９】
従って、このような餌料培養籠付き魚礁１では、水産資源を長期に亘って保護及び育成することができない構成となっている。
【００１０】
本発明は、上記のような課題を解決するためになされたものであり、長期間に亘って餌料生物の増殖効果や、水産生物の蝟集効果及び増殖効果を或る一定以上に維持することができ、水産業への貢献を果たすことができる餌料生物増殖礁及び餌料生物増殖礁の取替え方法を提供することを目的としている。
【課題を解決するための手段】
【００１１】
本発明に係る餌料生物増殖礁の取替え方法は、餌料生物増殖基質材が籠状体に収容されて成る１又は２以上の基質材ユニットと、前記１又は２以上の基質材ユニットが設けられている基台とを備え、海底、湖底、又は川底に１又は２以上沈設される餌料生物増殖礁の取替え方法において、沈設されている前記餌料生物増殖礁を船で引き上げる引上げ段階と、船上に引き上げた前記餌料生物増殖礁に装着されている前記餌料生物増殖基質材を、別の前記餌料生物増殖基質材に取り替える取替え段階と、別の前記餌料生物増殖基質材に取り替えられた前記餌料生物増殖礁を海底、湖底、又は川底に沈設する沈設段階とを備えることを特徴とするものである。
【００１２】
本発明に係る餌料生物増殖礁の取替え方法によると、海底や湖底等に沈設されている餌料生物増殖礁に装着されている餌料生物増殖基質材を、別の餌料生物増殖基質材に取り替えるときは、まず、沈設されている餌料生物増殖礁を船で引き上げる。次に、船上に引き上げた餌料生物増殖礁に装着されている餌料生物増殖基質材を、別の餌料生物増殖基質材に取り替える。そして、別の餌料生物増殖基質材に取り替えられた餌料生物増殖礁を海底や湖底等に沈設する。このようにして、餌料生物増殖基質材の取り替えが完了する。
【００１３】
そして、海底や湖底等に沈設された餌料生物増殖礁に装着されている餌料生物増殖基質材は、年月の経過によって破損及び腐食等して崩壊したり、ゴミが付着する等の種々の原因によって、餌料生物の増殖効果や、魚類等の水産生物の蝟集効果及び増殖効果が低下するが、この餌料生物増殖礁の取替え方法によると、それらの効果が或る一定以下に低下する前に、別の適切な餌料生物増殖基質材に取り替えることができる。
【００１４】
この発明に係る餌料生物増殖礁の取替え方法において、前記基質材ユニットが着脱自在に取付部を介して前記基台に取り付けられ、前記取替え段階では、船上に引き上げた前記餌料生物増殖礁の前記取付部を解除して、前記基台に取り付けられている前記基質材ユニットを、別の前記基質材ユニットに取り替え、前記沈設段階では、別の前記基質材ユニットに取り替えられた前記餌料生物増殖礁を海底、湖底、又は川底に沈設するものとすることができる。
【００１５】
このように、取替え段階において、船上に引き上げた餌料生物増殖礁の取付部を解除して、基台に取り付けられている基質材ユニットを、別の基質材ユニットに取り替えるようにすると、船上で基質材ユニットに収容されている餌料生物増殖基質材をこの基質材ユニットの籠状体から取り出して、別の餌料生物増殖基質材を当該基質材ユニットの籠状体に装着する作業が不要となり、船上での餌料生物増殖基質材の取り替え作業を簡単に短時間で行うことができる。
【００１６】
この発明に係る餌料生物増殖礁の取替え方法において、前記餌料生物増殖基質材は、間伐材を含む木材であり、かつ、前記基台は、コンクリート製の板状体であり、前記取付部は、雄ねじ部と雌ねじ部とを有する構成とすることができる。
【００１７】
このように、餌料生物増殖基質材として間伐材を含む木材を使用すると、石、瓦、鋼材
、コンクリート、貝殻等の餌料生物増殖基質材と比較して、ヨコエビ、ワレカラ等の有用餌料生物を大量に発生させることができる。そして、餌料生物としてのフナクイムシ、キクイムシ等の穿孔性の生物もこの木材に生息させることができる。そして、これらヨコエビ等の有用餌料生物やフナクイムシ等の穿孔性の生物は、魚類等の水産生物の餌となるので、この餌料生物増殖礁を沈設したときから魚類等を早期に蝟集させることができ、水産業に大きく貢献することができる。
【００１８】
そして、餌料生物増殖礁に装着されて海底や湖底等に沈設された間伐材を含む木材は、腐朽等によって崩壊したり、フナクイムシ等によって穿孔されて蝕まれるので、別の木材と取り替える必要があり、間伐材を含む木材の利用を十分に図ることができる。これによって、森林を適切に管理することができ、林業に大きく貢献することができる。
【００１９】
また、餌料生物増殖礁に装着された間伐材を含む木材が、腐朽等による崩壊の過程は、ほぼ完全な自然還元型であり、循環型社会の形成にも貢献することができる。
【００２０】
この発明に係る餌料生物増殖礁の取替え方法において、前記間伐材を含む木材の太さが、１０〜２５ｃｍであるものとすることができる。
【００２１】
このように、間伐材を含む木材の太さが１０〜２５ｃｍのものは、供給量が多く入手し易いので、木材の入手費用の低減を図ることができる。なお、太さが１０ｃｍよりも細い木材は、腐朽したり、フナクイムシ等によって蝕まれて比較的短期間で崩壊してしまい、木材の取替え周期が短くなり取り替えのコストが嵩む。そして、２５ｃｍよりも太くて重量の大きい木材は、この餌料生物増殖礁に対する装着及び取外しの作業に重機を使用することになり、作業が困難となる。
【００２２】
この発明に係る餌料生物増殖礁の取替え方法において、前記引上げ段階では、取り替えられる別の前記基質材ユニットが船に積み込まれているものとすることができる。
【００２３】
このようにすると、沈設されている餌料生物増殖礁を船上に引き上げたときに、その船の上で、基台に取り付けられている基質材ユニットを、船に積み込まれている別の基質材ユニットに取り替えることができる。これによって、海底や湖底等に沈設されている多数の餌料生物増殖礁を順次引き上げて、基質材ユニットが取り替えられた餌料生物増殖礁を、その都度順次海底や湖底等に沈設することができる。よって、海底や湖底等に多数の餌料生物増殖礁が沈設された状態を維持することができ、当該海底や湖底等に対する餌料生物の増殖効果や、魚類等の水産生物の蝟集効果及び増殖効果が低下することを防止できる。
【００２４】
本発明に係る餌料生物増殖礁は、餌料生物増殖基質材が籠状体に収容されて成る１又は２以上の基質材ユニットと、前記１又は２以上の基質材ユニットが設けられている基台とを備え、海底、湖底、又は川底に沈設される餌料生物増殖礁において、前記基台には、海底、湖底、又は川底に沈設されている前記餌料生物増殖礁を引き上げるための吊下げ部が設けられ、前記餌料生物増殖礁に装着されている前記餌料生物増殖基質材を、別の前記餌料生物増殖基質材に取り替え可能な構成となっているものである。
【００２５】
本発明に係る餌料生物増殖礁は、海底や湖底等に沈設すると、籠状体に収容されている餌料生物増殖基質材にヨコエビ、ワレカラ等の餌料生物が発生して増殖する。そして、この餌料生物を求めて魚類等の水産生物が、この餌料生物増殖礁に蝟集して増殖することができる。
【００２６】
そして、この餌料生物増殖礁が海底や湖底等に沈設されて年月が経過すると、この餌料
生物増殖礁に装着されている餌料生物増殖基質材は、破損及び腐食等して崩壊したり、ゴミが付着する等の種々の原因によって、餌料生物の増殖効果や、魚類等の蝟集効果及び増殖効果が低下することがあるが、それらの効果が或る一定以下に低下する前に、別の適切な餌料生物増殖基質材に取り替えることができる。
【００２７】
そして、海底や湖底等に沈設されている餌料生物増殖礁に装着されている餌料生物増殖基質材を、別の餌料生物増殖基質材に取り替えるときは、例えばまず、沈設されている餌料生物増殖礁を船で引き上げる。次に、船上に引き上げた餌料生物増殖礁に装着されている餌料生物増殖基質材を、別の餌料生物増殖基質材に取り替える。そして、別の餌料生物増殖基質材に取り替えられた餌料生物増殖礁を海底や湖底等に沈設する。このようにして、餌料生物増殖基質材の取り替えが完了する。
【００２８】
この発明に係る餌料生物増殖礁において、前記基質材ユニットが着脱自在に取付部を介して前記基台に取り付けられ、前記餌料生物増殖礁の前記取付部を解除して、前記基台に取り付けられている前記基質材ユニットを、別の前記基質材ユニットに取替え可能な構成となっているものとすることができる。
【００２９】
この餌料生物増殖礁によると、餌料生物増殖礁の取付部を解除することによって、基台に取り付けられている基質材ユニットを基台から取り外すことができる。そして、別の基質材ユニットを取付部によって基台に取り付けることができる。このように、別の基質材ユニットに取り替えるようにすると、船上で基質材ユニットに収容されている餌料生物増殖基質材をこの基質材ユニットの籠状体から取り出して、別の餌料生物増殖基質材を当該基質材ユニットの籠状体に装着する作業が不要となり、船上での餌料生物増殖基質材の取り替え作業を簡単に短時間で行うことができる。
【００３０】
この発明に係る餌料生物増殖礁において、前記餌料生物増殖基質材は、間伐材を含む木材であり、かつ、前記基台は、コンクリート製の板状体であり、前記取付部は、雄ねじ部と雌ねじ部とを有する構成であるものとすることができる。
【００３１】
この発明に係る餌料生物増殖礁は、第３の発明に係る餌料生物増殖礁の取替え方法と同様に作用する。
【００３２】
この発明に係る餌料生物増殖礁において、前記間伐材を含む木材の太さが、１０〜２５ｃｍであるものとすることができる。
【００３３】
この発明に係る餌料生物増殖礁は、第４の発明に係る餌料生物増殖礁の取替え方法と同様に作用する。
【発明の効果】
【００３４】
この本発明に係る餌料生物増殖礁の取替え方法、及び餌料生物増殖礁によると、海底や湖底等に沈設された餌料生物増殖礁に装着されている餌料生物増殖基質材が、年月の経過によって破損及び腐食等して崩壊したり、ゴミが付着する等の種々の原因によって、餌料生物の増殖効果や、魚類等の水産生物の蝟集効果及び増殖効果が低下することがあっても、それらの効果が或る一定以下になる前に、別の適切な餌料生物増殖基質材に取り替えることができる。従って、長期間に亘って餌料生物の増殖効果や、水産生物の蝟集効果及び増殖効果を或る一定以上に維持することができ、水産業への貢献を果たすことができる。
【００３５】
そして、基台を取り替えることを必要としていないので、基台を有効利用することができるし、基台を船で運搬する必要がなく経済的である。
【図面の簡単な説明】
【００３６】
【図１】この発明の一実施形態に係る餌料生物増殖礁を示す斜視図である。
【図２】同実施形態に係る餌料生物増殖礁が備える基質材ユニットを着脱自在に基台に取り付けている取付部を示す拡大断面図である。
【図３】同実施形態に係る餌料生物増殖礁を海底に沈設している状態を示す図である。
【図４】同実施形態に係る餌料生物増殖礁が海底に沈設された状態を示す図である。
【図５】同実施形態に係る餌料生物増殖礁の取替え方法を説明するための図である。
【図６】同実施形態に係る餌料生物増殖礁の取替え方法を説明するための斜視図である。
【図７】従来の餌料培養籠付き魚礁を示す斜視図である。
【図８】図７に示す餌料培養籠付き魚礁が備えている餌料培養籠を示す拡大断面図である。
【発明を実施するための形態】
【００３７】
以下、本発明に係る餌料生物増殖礁、及び餌料生物増殖礁の取替え方法の一実施形態を図１〜図６を参照して説明する。この図１に示す餌料生物増殖礁１１は、海底１２、湖底、川底等に沈設されて使用され、魚類等の水産生物の餌となる餌料生物の集積、繁殖及び増殖を促進することができるものであり、図３〜図６に示すようにして、海底１２等に沈設された餌料生物増殖礁１１の基質材ユニット１３を取り替えることができるようになっている。
【００３８】
餌料生物増殖礁１１は、図１の斜視図に示すように、例えば４つの基質材ユニット１３と、この４つの基質材ユニット１３が着脱自在に取付部１４を介して取り付けられている基台１５とを備えている。この４つの基質材ユニット１３は、基台１５の上面に設定された略正方形の４つの各頂点の位置に設けられ、互いに隣り合う基質材ユニット１３どうしは、所定の間隔を隔てて配置されている。
【００３９】
基質材ユニット１３は、餌料生物増殖基質材１６が籠状体１７の内部に収容されて成るものである。この餌料生物増殖基質材１６は、例えばスギ、ヒノキ、カラマツ等の間伐材を含む木材である。この餌料生物増殖基質材１６としての木材は、太さが１０〜２５ｃｍ、好ましくは、１５〜２０ｃｍである。そして、各木材は、略略一定の長さに形成され、例えば１．５〜２．０ｍのものである。
【００４０】
そして、４つの各籠状体１７は、それぞれ同等のものであるので、図１に示す最も左側に配置されているものを説明し、他の３つの籠状体１７の説明を省略する。この籠状体１７は、例えば鉄又は鋼の金属製であり、略直方体の枠体状に形成され、立てた状態で基台１５上に取り付けられている。
【００４１】
つまり、籠状体１７は、図１に示すように、所定の同一長さに形成された４本の支柱１８を、この略直方体を形成する長手方向（鉛直方向）の４つの各辺の位置に配置したものであり、矩形の上面開口部が矩形の板状の上壁部１９によって閉塞されている。そして、この上壁部１９の下方に、この上壁部１９と略同一形状及び大きさの下壁部２０が上壁部１９と所定の間隔を隔てて設けられている。こられ上壁部１９及び下壁部２０は、４本の各支柱１８に溶接されて取り付けられている。
【００４２】
この上壁部１９と下壁部２０との間に、所定長さに形成された餌料生物増殖基質材１６としての複数本（例えば８本）の間伐材を含む木材が、立てた状態で収容されている。
【００４３】
そして、図１に示すように、下壁部２０と基台１５との間に床下空間２１が形成されて
いる。この床下空間２１は、下壁部２０と基台１５との間に海水が流通することができるようにして、基質材ユニット１３内に収容されている餌料生物増殖基質材１６が、多量の海水に接触する機会を増やすことができるようにするものである。これによって、餌料生物の集積、繁殖及び増殖を促進することができる。
【００４４】
また、図１に示すように、４本の支柱１８の互いに隣り合うものどうしは、水平に配置された複数の棒状の横桟２２が設けられている。この複数の横桟２２は、略直方体に形成された籠状体１７内に収容されている餌料生物増殖基質材１６（間伐材を含む木材）が、籠状体１７の４つの各側面開口部（略長方形の開口部）から脱落しないようにこの籠状体１７内に閉じ込めておくためのものである。
【００４５】
これら複数の横桟２２は、籠状体１７の４つの各側面開口部において、上下方向に互いに所定の間隔を隔てて配置され、それぞれの横桟２２は、４本の各支柱１８に溶接されて取り付けられている。
【００４６】
ただし、籠状体１７の４つの各側面開口部に複数の横桟２２を設けて、これら各側面開口部から餌料生物増殖基質材１６（木材）が脱落しないようにしたが、これら横桟２２に代えて、又はこれら複数の横桟２２に加えて、４つの各側面開口部を網状体によって塞ぐようにしてもよい。
【００４７】
要は、図１に示す籠状体１７は、基質材ユニット１３内に収容されている餌料生物増殖基質材１６が、この籠状体１７から脱落したり浮上することを防止できるようにすると共に、餌料生物増殖基質材１６が多量の海水に接触することができるようにして、餌料生物の集積及び増殖を促すことができ、更に、魚類が横桟２２どうしの隙間や、網状体の多数の各網目を通って、餌料生物増殖基質材１６に集積する餌料生物を食べることができるようにすればよい。
【００４８】
なお、図６に示すように、基質材ユニット１３の上部には、例えば４つの第１吊下げ部２３が設けられている。この第１吊下げ部２３は、基質材ユニット１３をクレーン２４等で吊下げるときに使用するものである。このように、基質材ユニット１３をクレーン２４等で吊下げる場合として、陸上で餌料生物増殖礁１１を製造する場合、及び後述するように、船２５上で基質材ユニット１３を取り替える場合である。
【００４９】
基台１５は、図１に示すように、四角形の板状体であり、コンクリート製である。この基台１５は、餌料生物増殖礁１１を海底１２、湖底、川底等に長期間安定して浮上することなく設置することができる重量、大きさ、及び形に形成されている。
【００５０】
次に、図１及び図２を参照して、４つの各基質材ユニット１３を着脱自在に基台１５に取り付けている取付部１４を説明する。この取付部１４は、複数使用されて、図１に示す基質材ユニット１３の下部に設けられている矩形の枠状に形成された脚部２６を、基台１５に対して着脱自在に取り付けることができるものである。
【００５１】
脚部２６は、図１に示すように、基質材ユニット１３を構成する籠状体１７の４本の支柱１８の下端部に溶接されて取り付けられているものであり、所定長さの４本のＬ型アングルを矩形の枠状に形成したものである。
【００５２】
取付部１４は、例えば図２に示すインサートプラグ２７と、これに螺合するボルト２８とを備えている。このインサートプラグ２７は、インサート本体２９、スリーブ３０、及び環状のゴムパッキン３１を備えている。
【００５３】
図２に示すように、脚部２６は、その水平部２６ａが基台１５の上面に当接した状態で配置され、この水平部２６ａに形成された挿通孔にボルト２８が挿通されている。そして、このボルト２８は、基台１５に埋設されている環状のゴムパッキン３１及びスリーブ３０に挿通しており、その先端部に形成されている雄ねじ部２８ａが、基台１５に埋設されているインサート本体２９の雌ねじ部２９ａに螺合している。このボルト２８をインサート本体２９の雌ねじ部２９ａに対して締め付けることによって、基質材ユニット１３を着脱自在に基台１５に強固に取り付けることができる。そして、ボルト２８をインサート本体２９の雌ねじ部２９ａから取り外すことによって、基質材ユニット１３を基台１５から取り外すことができる。
【００５４】
ただし、図２に示す取付部１４では、インサートプラグ２７を使用したが、これに代えて、従来公知のアンカープラグを使用してもよいし、これ以外の構造のものとしてもよい。
【００５５】
また、図１に示すように、基台１５の上面の例えば４箇所に第２吊下げ部３２が設けられている。この第２吊下げ部３２は、鉤状に形成されたものであり、例えばワイヤーを引っ掛けてクレーン２４で餌料生物増殖礁１１を吊下げることができるものである。
【００５６】
よって、この第２吊下げ部３２を使用して、餌料生物増殖礁１１を海底１２等に沈設したり、海底１２等に沈設されている餌料生物増殖礁１１を例えば船２５上に引き上げることができる。
【００５７】
次に、上記のように構成された餌料生物増殖礁１１の作用を説明する。この図１に示す餌料生物増殖礁１１は、海底１２や湖底等に沈設すると、４つの各籠状体１７に収容されている餌料生物増殖基質材１６にヨコエビ、ワレカラ等の餌料生物が発生して増殖する。そして、この餌料生物を求めて魚類等の水産生物が、この餌料生物増殖礁１１に蝟集して増殖することができる。
【００５８】
そして、図１に示すように、餌料生物増殖基質材１６として間伐材を含む木材を使用すると、石、瓦、鋼材、コンクリート、貝殻等の餌料生物増殖基質材と比較して、ヨコエビ、ワレカラ等の有用餌料生物を大量に発生させることができる。そして、餌料生物としてのフナクイムシ、キクイムシ等の穿孔性の生物もこの木材に生息させることができる。そして、これらヨコエビ等の有用餌料生物やフナクイムシ等の穿孔性の生物は、魚類等の水産生物の餌となるので、この餌料生物増殖礁１１を沈設したときから魚類等を早期に蝟集させることができ、水産業に大きく貢献することができる。
【００５９】
次に、図３〜図６を参照して、図１に示す餌料生物増殖礁１１を海底１２や湖底等に沈設する方法、及び海底１２や湖底等に沈設された多数の餌料生物増殖礁１１に装着されている餌料生物増殖基質材１６の取替え方法を説明する。
【００６０】
餌料生物増殖礁１１を海底１２や湖底等に沈設するときは、まず、図１に示す餌料生物増殖礁１１を複数製造する。次に、図３に示すように、製造した複数の餌料生物増殖礁１１を船２５に積み込んで沈設しようとする海域に輸送する。そして、例えばクレーン２４を使用して餌料生物増殖礁１１を一つずつ所定の海底１２等に沈設していく。そして、このような工程を繰り返し行なう。
【００６１】
図４は、海底１２等の所定の場所に沈設された多数の餌料生物増殖礁１１を示し、これら多数の餌料生物増殖礁１１は、例えば海底１２等の底面に沿って縦横に整列して並べられている。このようにして、餌料生物増殖礁１１の沈設作業が終了する。
【００６２】
次に、図３〜図６等を参照して、海底１２や湖底等に沈設された多数の餌料生物増殖礁１１に装着されている餌料生物増殖基質材１６の取替え方法を説明する。まず、図１に示す基質材ユニット１３を多数製造する。この製造された新の基質材ユニット１３は、餌料生物増殖基質材１６（間伐材を含む木材）が籠状体１７の内部に収容されており、基台１５に取り付けられていない状態のものである。
【００６３】
そして、図５に示すように、新の複数の基質材ユニット１３を船２５に積み込んで、多数の餌料生物増殖礁１１が沈設されている海域に移動する。そして、例えばクレーン２４を使用して、海底１２等に沈設されている旧の餌料生物増殖礁１１を一つずつ船２５上に引き上げる（引上げ段階）。
【００６４】
次に、図６に示すように、船２５上に引き上げた旧の餌料生物増殖礁１１の取付部１４を船２５上で解除して（ボルト２８を取り外して）、基台１５に取り付けられている４つの旧の基質材ユニット１３を、別の４つの新の基質材ユニット１３に船２５上で取り替える（取替え段階）。
【００６５】
次に、図５に示すように、４つの新の基質材ユニット１３に取り替えられた船２５上の新の餌料生物増殖礁１１を、先に引き上げた旧の餌料生物増殖礁１１が沈設されていた場所に沈設する（沈設段階）。そして、このような工程を繰り返し行なう。
【００６６】
このようにして、今回沈設される多数の新の餌料生物増殖礁１１は、図４に示すように、多数の旧の餌料生物増殖礁１１が海底１２等の底面上に縦横に整列して並べられていた元の所定の場所に、同様の状態に並べられる。このようにして、新の餌料生物増殖礁１１の沈設作業が終了する。
【００６７】
ただし、今回沈設される多数の新の餌料生物増殖礁１１を、多数の旧の餌料生物増殖礁１１が沈設されていた海底１２等の所定の場所の近傍に整列して並べてもよい。
【００６８】
この図３〜図６等に示すような、海底１２や湖底等に沈設された多数の餌料生物増殖礁１１に装着されている餌料生物増殖基質材１６の取替え方法によると、海底１２や湖底等に沈設された旧の餌料生物増殖礁１１に装着されている旧の餌料生物増殖基質材１６が、年月の経過によって破損及び腐食等して崩壊したり、ゴミが付着する等の種々の原因によって、餌料生物の増殖効果や、魚類等の水産生物の蝟集効果及び増殖効果が低下しても、それらの効果が或る一定以下に低下する前に、別の適切な新の餌料生物増殖基質材１６に取り替えることができる。
【００６９】
従って、海底１２等に沈設された多数の餌料生物増殖礁１１に対して、長期間に亘って継続して餌料生物の増殖効果や、水産生物の蝟集効果及び増殖効果を或る一定以上に維持することができ、水産業への貢献を果たすことができる。
【００７０】
そして、基台１５を取り替えることを必要としていないので、基台１５を有効利用することができるし、基台１５を船２５で運搬する必要がなく経済的である。
【００７１】
そして、図５に示すように、基質材ユニット１３の取替え段階において、船２５上に引き上げた餌料生物増殖礁１１の取付部１４を解除して、基台１５に取り付けられている４つの旧の基質材ユニット１３を、４つの別の新の基質材ユニット１３に取り替えるようにすると、船２５上で旧の基質材ユニット１３に収容されている旧の餌料生物増殖基質材１６をこの旧の基質材ユニット１３の籠状体１７から取り出して、別の新の餌料生物増殖基質材１６を元の基質材ユニット１３の籠状体１７に装着する作業が不要となり、船２５上での餌料生物増殖基質材１６の取り替え作業を簡単に短時間で行うことができる。
【００７２】
また、上記のように、図１に示す餌料生物増殖基質材１６として間伐材を含む木材を使用すると、石、瓦、貝殻等の餌料生物増殖基質材と比較して、ヨコエビ、フナクイムシ等の有用餌料生物を大量に発生させることができる。そして、これら有用餌料生物は、魚類等の餌となるので、この餌料生物増殖礁１１を沈設したときから魚類等を早期に蝟集させることができ、水産業に大きく貢献することができる。
【００７３】
そして、餌料生物増殖礁１１に装着されて海底１２や湖底等に沈設された間伐材を含む木材は、腐朽等によって崩壊したり、フナクイムシ等によって穿孔されて蝕まれるので、別の新の木材と取り替える必要があり、間伐材を含む木材の利用を十分に図ることができる。これによって、森林を適切に管理することができ、林業に大きく貢献することができる。
【００７４】
更に、餌料生物増殖礁１１に装着された間伐材を含む木材が、腐朽等による崩壊の過程は、ほぼ完全な自然還元型であり、循環型社会の形成にも貢献することができる。
【００７５】
そして、図１に示すように、餌料生物増殖基質材１６として使用する間伐材を含む木材の太さは、１０〜２５ｃｍのものを採用しており、このような太さの間伐材は、供給量が多く入手し易いので、木材の入手費用の低減を図ることができる。なお、太さが１０ｃｍよりも細い木材は、腐朽したり、フナクイムシ等によって蝕まれて比較的短期間で崩壊してしまい、木材の取替え周期が短くなり取り替えのコストが嵩む。そして、２５ｃｍよりも太くて重量の大きい木材は、この餌料生物増殖礁１１に対する装着及び取外しの作業に重機を使用することになり、作業が困難となる。
【００７６】
なお、餌料生物増殖基質材１６として使用する間伐材を含む木材の太さを、１０〜２５ｃｍのものを採用すると、このような木材は、早いもので２〜３年で崩壊し、長いもので５年以上残存することが予想される。よって、海底１２等に沈設された餌料生物増殖基質材１６の取替え周期は、使用する木材の性状や大きさ等に応じて設定することが好ましい。
【００７７】
また、図５に示すように、取り替えられる新の基質材ユニット１３を船２５に積み込んでおくことによって、沈設されている旧の餌料生物増殖礁１１を船２５上に引き上げたときに、その船２５の上で、基台１５に取り付けられている旧の基質材ユニット１３を、船２５に積み込まれている別の新の基質材ユニット１３に取り替えることができる。これによって、海底１２や湖底等に沈設されている多数の旧の餌料生物増殖礁１１を順次引き上げて、基質材ユニット１３が取り替えられた新の餌料生物増殖礁１１を、その都度順次海底１２や湖底に沈設することができる。よって、海底１２や湖底等に多数の餌料生物増殖礁１１が沈設された状態を維持することができ、当該海底１２や湖底等に対する餌料生物の増殖効果や、魚類等の水産生物の蝟集効果及び増殖効果が低下することを防止できる。
【００７８】
ただし、上記実施形態では、図１に示すように、餌料生物増殖基質材１６として、間伐材等の木材を使用したが、これに代えて、石、瓦、鋼材、コンクリート、又は貝殻等を使用することができる。そして、このように石、瓦、鋼材等を餌料生物増殖基質材として使用する場合は、これらの餌料生物増殖基質材が籠状体１７から脱落しないように、籠状体１７を形成する必要がある。
【００７９】
そして、籠状体１７に収容される餌料生物増殖基質材１６は、木材と、石、瓦、鋼材等とを組み合わせたものとしてもよい。また、図１に示す基台１５に取り付けられている４つの基質材ユニット１３のうち、或るものは、木材を収容しており、また或るものは、石、瓦、鋼材等が収容されているようにしてもよい。
【００８０】
また、上記実施形態では、籠状体１７は、略直方体としたが、これ以外の例えば多角柱体、又は上下の開口部が閉塞された略円筒形体としてもよい。要は、内部に収容されている餌料生物増殖基質材１６がこの籠状体１７から脱落しないようにしてあり、魚類がこの籠状体１７内に進入することができるものであればよい。
【００８１】
更に、上記実施形態では、図１に示すように、基台１５は、四角形の板状体としたが、これ以外の例えば多角形の板状体、又は円板状体としてもよい。要は、餌料生物増殖礁１１を海底１２、湖底、川底等に長期間安定して浮上することなく設置することができるものであればよい。
【００８２】
そして、上記実施形態では、餌料生物増殖基質材１６を取り替える方法として、基質材ユニット１３を取り替えることとしたが、これ以外の方法によって餌料生物増殖基質材１６を取り替えるようにしてもよい。
【００８３】
例えば、図１に示す籠状体１７の上面又は側面に開口部を形成して、この開口部を開閉自在な扉を籠状体１７に設けた構成とし、内部に収容されている餌料生物増殖基質材１６を上面開口部又は側面開口部から出し入れできるようにして、餌料生物増殖基質材１６のみを取り替えるようにしてもよい。そして、この扉には、閉じた状態を維持できるように、例えばボルト及びナット等の係止部を設けることとする。
【００８４】
なお、この扉は、籠状体１７内に収容されている餌料生物増殖基質材１６が籠状体１７から脱落しないようにすると共に、魚類が餌料生物増殖基質材１６に発生する餌料生物を食べることができるように、多数の隙間を有するものとするとよい。
【００８５】
そして、上記実施形態の籠状体１７は、鉄、又は鋼製としたが、これに代えて、ステンレス製、又はＦＲＰ等の合成樹脂製としてもよい。このようにすると、籠状体１７及び取付部１４等が錆びないので、籠状体１７を基台１５に対して着脱したり、籠状体１７に設けた扉を開閉することを容易に行うことができ、よって、餌料生物増殖基質材１６を取り替えるための作業性の向上を図ることができる。
【００８６】
また、上記実施形態では、４つの基質材ユニット１３を基台１５に設けた構成としたが、これに代えて、４つ以外の数の基質材ユニット１３を基台１５に設けた構成としてもよい。
【００８７】
更に、上記実施形態では、図１に示すように、上壁部１９及び下壁部２０は、矩形の板状体としたが、これら上壁部１９及び下壁部２０に多数の貫通孔を形成したものを使用してもよい。これらの多数の貫通孔は、この基質材ユニット１３内に収容されている餌料生物増殖基質材１６が、多量の海水に接触する機会を増やして餌料生物の集積及び増殖を促すと共に、魚類がこれら多数の貫通孔を通って、餌料生物増殖基質材１６に集積する餌料生物を食べることができるようにするものである。
【００８８】
なお、上壁部１９及び下壁部２０に多数の貫通孔を形成する場合は、基質材ユニット１３内に収容される餌料生物増殖基質材１６として、木材以外の石、瓦、鋼材等を使用することが好ましい。なぜなら、木材では、腐朽等によって崩壊していくときに発生する木片が、上壁部１９及び下壁部２０に形成された多数の貫通孔を通って浮上することが考えられるからである。
【産業上の利用可能性】
【００８９】
以上のように、本発明に係る餌料生物増殖礁及び餌料生物増殖礁の取替え方法は、長期
間に亘って餌料生物の増殖効果や、水産生物の蝟集効果及び増殖効果を或る一定以上に維持することができ、水産業への貢献を果たすことができる優れた効果を有し、このような餌料生物増殖礁及び餌料生物増殖礁の取替え方法に適用するのに適している。
【符号の説明】
【００９０】
１１  餌料生物増殖礁
１２  海底
１３  基質材ユニット
１４  取付部
１５  基台
１６  餌料生物増殖基質材
１７  籠状体
１８  支柱
１９  上壁部
２０  下壁部
２１  床下空間
２２  横桟
２３  第１吊下げ部
２４  クレーン
２５  船
２６  脚部
２６ａ  脚部の水平部
２７  インサートプラグ
２８  ボルト
２８ａ  雄ねじ部
２９  インサート本体
２９ａ  雌ねじ部
３０  スリーブ
３１  ゴムパッキン
３２  第２吊下げ部
【図１】
2014140339.tif 000003
【図２】
2014140339.tif 000004
【図３】
2014140339.tif 000005
【図４】
2014140339.tif 000006
【図５】
2014140339.tif 000007
【図６】
2014140339.tif 000008
【図７】
2014140339.tif 000009
【図８】
2014140339.tif 000010